(57)【特許請求の範囲】
【請求項１】
一面を開口とする箱状に形成された収納箱と、
上記収納箱の開口を塞口するフェースプレートと、
上記収納箱の所定位置に固定され、該収納箱の深さ方向と直交する係止面を有する係止部材と、
上記フェースプレートの裏面に配設され、上記係止面から上記収納箱の深さ方向の奥側に所定距離離間する被係止部を有し、該フェースプレートの手前側への移動に伴って該被係止部が該係止面に係止され、該フェースプレートの該係止面と平行な方向への移動により該係止面による係止が解除される外れ止めと、
上記収納箱の内周壁面の所定位置に該収納箱の深さ方向と直交するように立設された固定ピンと、
弾性を有する金属板を基部、折り曲げ部および折り曲げ片からなるくの字状に成形して構成され、スリットが該折り曲げ部の延在方向と直交して該基部側から該折り曲げ部を超えて該折り曲げ片側に延設され、該折り曲げ部を上記フェースプレートの外周側に向けて、かつ上記固定ピンを該スリット内に収納するように、該基部を上記フェースプレートの裏面の外周側に固着して配設され、該フェースプレートの手前側への移動に伴って該スリットの底部が該固定ピンに当接して係止され、該折り曲げ片を該折り曲げ部を中心として該基部側に弾性変形して該固定ピンを該スリットから引き出して該固定ピンによる係止が解除されるストッパと、
上記折り曲げ部の延在方向と直交し、かつ上記折り曲げ片と交差するように上記フェースプレートの裏面に配設され、ガイド溝が該折り曲げ部の延在方向から見て該折り曲げ部の上記基部と反対側に開口し、該折り曲げ片と交差して上記基部と上記折り曲げ片との間の領域に延在するように形成されたガイド部と、
上記フェースプレートの周面の裏面側角部を面取りして形成され、上記ガイド溝の開口に臨む隙間を構成する面取り部と、を備えていることを特徴とするエレベータのかご操作盤。
【請求項２】
上記ガイド溝が、上記面取り部の傾斜面の延長線上に位置していることを特徴とする請求項１記載のエレベータのかご操作盤。
【請求項３】
上記収納箱の内周壁面の所定位置に該収納箱の深さ方向と直交するように立設された支持ピンと、
上記フェースプレートの裏面に配設され、上記支持ピンを挟み込み、該フェースプレートの手前側の移動を弾性的に規制するばね式固定部材と、を備えていることを特徴とする請求項１又は請求項２記載のエレベータのかご操作盤。
【請求項４】
請求項１乃至請求項３のいずれか１項に記載のエレベータのかご操作盤のフェースプレートの取り外し方法において、
取り外し治具の平板状の差し込み部を上記面取り部により形成された上記隙間から差し込んで上記ガイド溝の開口から該ガイド溝内に押し込み、上記折り曲げ片を上記基部側に弾性変形させて上記固定ピンを上記スリットから引き出し、該固定ピンによる係止を解除することを特徴とするエレベータのかご操作盤のフェースプレートの取り外し方法。
【発明の詳細な説明】
【技術分野】
【０００１】
この発明は、エレベータのかご操作盤およびそのフェースプレートの取り外し方法に関するものである。
【背景技術】
【０００２】
従来のエレベータの運転操作盤は、一方に開口部を有する収納箱と、収納箱の開口部を閉塞するフェースプレートと、フェースプレートに設けられた開戸と、開戸の内側に設けられ、フェースプレートを収納箱に着脱自在とするねじ式固定手段と、収納箱内の所定位置に固定された係止部と、係止部より収納箱の厚さ方向奥側のフェースプレートに、係止部から所定距離離間して設けられ、フェースプレートの手前側への移動に伴い、係止部に係止される係止高さ位置と、係止部と干渉しない解放高さ位置との間で選択的に上下動されるストッパと、を備え、フェースプレート表面の固定ねじを廃止するとともに、悪戯によるフェースプレートの取り外しを防止していた（例えば、特許文献１参照）。
【０００３】
このように構成された従来のエレベータの運転操作盤において、フェースプレートを取り外すには、まず、開戸を開けて、ねじ式固定手段によるフェースプレートと収納箱との固定を解除する。ついで、フェースプレートを手前側に引っ張り、ストッパを係止部に係止させて、フェースプレートとかごの壁との間に隙間を形成する。ついで、その隙間から操作して、ストッパを解放高さ位置に動かす。そこで、フェースプレートを手前側に引っ張り、フェースプレートを取り外していた。
【先行技術文献】
【特許文献】
【０００４】
【特許文献１】特許第２６６６６４９号公報
【発明の概要】
【発明が解決しようとする課題】
【０００５】
従来のエレベータの運転操作盤では、フェースプレートを取り外すには、開戸を解錠して開け、ねじ式固定手段によるフェースプレートと収納箱との固定を解除し、その後フェースプレートを手前側に引いて隙間を形成し、その隙間からストッパを解放高さ位置まで動かす必要があり、フェースプレートの取り外し作業が極めて煩雑となるという課題があった。また、ねじ式固定手段が開戸の内側に設けられているが、開戸を施錠する鍵がフェースプレートの意匠面にあり、意匠性が低下するという課題もあった。
【０００６】
この発明は、このような課題を解決するためになされたものであって、フェースプレートの周面の裏面側角部を面取りし、フェースプレートと収納箱との固定を当該面取り部からの操作により解除可能な構造とし、フェースプレートの取り外し作業を簡略化できるとともに、フェースプレート表面から固定ねじや鍵を無くし、意匠性を高めることができるエレベータのかご操作盤およびそのフェースプレートの取り外し方法を得ることを目的とする。
【課題を解決するための手段】
【０００７】
この発明によるエレベータのかご操作盤は、一面を開口とする箱状に形成された収納箱と、上記収納箱の開口を塞口するフェースプレートと、上記収納箱の所定位置に固定され、該収納箱の深さ方向と直交する係止面を有する係止部材と、上記フェースプレートの裏面に配設され、上記係止面から上記収納箱の深さ方向の奥側に所定距離離間する被係止部を有し、該フェースプレートの手前側への移動に伴って該被係止部が該係止面に係止され、該フェースプレートの該係止面と平行な方向への移動により該係止面による係止が解除される外れ止めと、上記収納箱の内周壁面の所定位置に該収納箱の深さ方向と直交するように立設された固定ピンと、弾性を有する金属板を基部、折り曲げ部および折り曲げ片からなるくの字状に成形して構成され、スリットが該折り曲げ部の延在方向と直交して該基部側から該折り曲げ部を超えて該折り曲げ片側に延設され、該折り曲げ部を上記フェースプレートの外周側に向けて、かつ上記固定ピンを該スリット内に収納するように、該基部を上記フェースプレートの裏面の外周側に固着して配設され、該フェースプレートの手前側への移動に伴って該スリットの底部が該固定ピンに当接して係止され、該折り曲げ片を該折り曲げ部を中心として該基部側に弾性変形して該固定ピンを該スリットから引き出して該固定ピンによる係止が解除されるストッパと、上記折り曲げ部の延在方向と直交し、かつ上記折り曲げ片と交差するように上記フェースプレートの裏面に配設され、ガイド溝が該折り曲げ部の延在方向から見て該折り曲げ部の上記基部と反対側に開口し、該折り曲げ片と交差して上記基部と上記折り曲げ片との間の領域に延在するように形成されたガイド部と、上記フェースプレートの周面の裏面側角部を面取りして形成され、上記ガイド溝の開口に臨む隙間を構成する面取り部と、を備えている。
【発明の効果】
【０００８】
この発明によれば、フェースプレートの手前側の移動時に、ストッパに形成されたスリットの底部が固定ピンに当接し、かつ外れ止めの被係止部が係止部材の係止面に当接し、フェースプレートの手前側の移動が阻止される。そこで、固定用ねじや固定用ねじを収容する開戸が不要となり、フェースプレート表面から固定ねじや鍵を無くし、意匠性を高めることができる。さらに、フェースプレートの取り付け／取り外し時に、固定ねじの着脱や開戸の施錠／解錠が不要となり、フェースプレートの取り付け／取り外し作業が簡易となる。
フェースプレートの周面の裏面側角部を面取りしてガイド溝の開口に臨む隙間を形成しているので、当該隙間から取り外し治具を差し込んでガイド溝に押し込むことで、ストッパの折り曲げ片を弾性変形させ、固定ピンによる係止を解除することができる。したがって、フェースプレートを簡易に取り外すことができる。
【図面の簡単な説明】
【０００９】
【図１】この発明の一実施の形態に係るエレベータのかご室の出入り口をかご室の内側から見た図である。
【図２】この発明の一実施の形態に係るエレベータのかご操作盤を示す正面図である。
【図３】図２のＩＩＩ−ＩＩＩ矢視断面図である。
【図４】図２のＩＶ−ＩＶ矢視断面図である。
【図５】この発明の一実施の形態に係るエレベータのかご操作盤における固定構造を説明する図である。
【図６】この発明の一実施の形態に係るエレベータのかご操作盤におけるフェースプレートの取り外し方法を説明する工程断面図である。
【発明を実施するための形態】
【００１０】
以下、本発明のエレベータのかご操作盤およびそのフェースプレートの取り外し方法の好適な実施の形態につき図面を用いて説明する。
【００１１】
図１はこの発明の一実施の形態に係るエレベータのかご室の出入り口をかご室の内側から見た図、図２はこの発明の一実施の形態に係るエレベータのかご操作盤を示す正面図、図３は図２のＩＩＩ−ＩＩＩ矢視断面図、図４は図２のＩＶ−ＩＶ矢視断面図である。図５はこの発明の一実施の形態に係るエレベータのかご操作盤における固定構造を説明する図であり、図５の（ａ）はガイド部材を示し、図５の（ｂ）はストッパを示し、図５の（ｃ）はガイド部材とストッパの組み立て状態を示している。図６はこの発明の一実施の形態に係るエレベータのかご操作盤におけるフェースプレートの取り外し方法を説明する工程断面図である。なお、図２、図３および図６では、説明の便宜上、フェースプレートに配設されている釦類を省略している。
【００１２】
図１において、かご室１は、かご床２と、かご床２上の三方に立設され、かご室１内を昇降路に対して隔離する側壁３と、側壁３の上部を塞口する天井４と、乗り場との間で利用者の乗降を行う出入り口の戸５と、出入り口の側部に設けられた袖壁６と、出入り口の上部に設けられた上板７と、袖壁６に設けられたかご操作盤８と、を備えている。かご操作盤８のフェースプレート９には、かごの行先階表示部１０、行先階釦１１、非常時に使用する非常釦１２などが配設されている。
【００１３】
つぎに、かご操作盤８の構造について図２乃至図５を参照しつつ説明する。
【００１４】
かご操作盤８は、図２に示されるように、直方体の一面を開口とする収納箱１５と、収納箱１５の開口より大きい、所定厚みを有する矩形平板状に作製され、開口を塞口するように収納箱１５に取り付けられるフェースプレート９と、を備える。
【００１５】
収納箱１５は、図３に示されるように、開口をかご室１内に向けて袖壁６の開口部に挿入され、開口縁部が袖壁６の表面と面一となるように袖壁６に固着されている。係止部材としての折り返し片１７が、収納箱１５の上板１６ａの縁部の幅方向中央部から直角に下方に所定長さ延出させて形成されている。折り返し片１７の底板１６ｄ側に面する面が係止面となる。支持ピン１８が、軸方向を幅方向として、収納箱１５の相対する２つの側板１６ｂのそれぞれの内壁面に相対するように立設されている。具体的には、支持ピン１８は、各側板１６ｂの上部側および下部側の深さ方向中央に立設されている。３つの固定ピン１９が、軸方向を上下方向として、収納箱１５の下板１６ｃの内壁面の幅方向の中央およびその両側の深さ方向中央に立設されている。なお、収納箱１５における幅方向は図２中左右方向（収納箱１５の矩形の開口の短手方向）であり、上下方向は図２中上下方向（収納箱１５の矩形の開口の長手方向）であり、深さ方向は図３中左右方向である。
【００１６】
外れ止め２０は、図３に示されるように、矩形平板状の鋼板に塑性変形の曲げ加工を施し、一対の折り曲げ片２０ｂ、２０ｃが基部２０ａの両端から直角に、かつ逆側に延出する略Ｚ状に作製されている。外れ止め２０は、折り曲げ片２０ｃが基部２０ａから上方に延出するように、折り曲げ片２０ｂを固定具３５により締着固定されてフェースプレート９の裏面の上部側の幅方向中央部に取り付けられている。なお、外れ止め２０は、フェースプレート９を収納箱１５に取り付けた際に、折り曲げ片２０ｃが折り返し片１７と収納箱１５の深さ方向の奥側に所定距離離間するようにフェースプレート９の裏面に取り付けられている。折り曲げ片２０ｃが被係合部となる。また、フェースプレート９における幅方向は図２中左右方向（フェースプレート９の矩形平板状の短手方向）であり、上下方向は図２中上下方向（フェースプレート９の矩形平板状の長手方向）である。
【００１７】
押さえ板２２は、図２および図３に示されるように、矩形平板状の鋼板に塑性変形の曲げ加工を施し、折り曲げ片２２ｂが基部２２ａの一端から直角に延出するＬ字状に作製されている。そして、案内溝２３が溝方向を折り曲げ片２２ｂの延出方向として折り曲げ片２２ｂの延出端に開口するように形成されている。そして、押さえ板２２は、折り曲げ片２２ｂを外側に向けて、基部２２ａを固定具３５により締着固定されて、フェースプレート９の裏面の幅方向両側の上部側および下部側に取り付けられている。
【００１８】
なお、押さえ板２２は、フェースプレート９を収納箱１５に取り付けた際に、折り曲げ片２２ｂが側板１６ｂに接近し、支持ピン１８が案内溝２３内に収納されるようにフェースプレート９の裏面に取り付けられている。また、押さえ板２２は、外れ止め２０の折り曲げ片２０ｃが折り返し片１７に接したときに、支持ピン１８が案内溝２３から抜け出るように形成されている。
【００１９】
そして、固定用ばね２１が、図３に示されるように、端部２１ａを基部２２ａとフェースプレート９との間に締着固定され、その先端側の断面略くの字状の支持部２１ｂを案内溝２３に沿わせてフェースプレート９の裏面に取り付けられている。押さえ板２２と固定用ばね２１は、フェースプレート９を収納箱１５に取り付けた際に、案内溝２３内に収納された支持ピン１８を案内溝２３の内壁面と支持部２１ｂとの間に挟み込んで弾性固定できるように構成されている。なお、固定用ばね２１および押さえ板２２がばね式固定部材を構成する。
【００２０】
ガイド部材２４は、図５の（ａ）に示されるように、矩形平板状の基部２５と、基部２５の表面の長手方向中央に直角に立設され、基部２５の短手方向の一端から他端を超えて延在するガイド部２６と、を備える。ガイド溝２７が、ガイド部２６の基部２５からの延出部の基部２５側の側面に開口し、基部２５から離れるに従い基部２５の短手方向の一端側に変位するように形成されている。
【００２１】
ストッパ２８は、図５の（ｂ）に示されるように、矩形平板状のばね鋼板に塑性変形の曲げ加工を施し、基部２９と、基部２９の端部から鋭角に曲げられた折り曲げ片３０と、からなる断面くの字状に作製されている。３つのスリット３２が、それぞれ、溝方向を基部２９と折り曲げ片３０との間の折り曲げ部３１の延在方向と直交するように、基部２９から折り曲げ部３１を超えて折り曲げ片３０の先端側に至るように形成されて、折り曲げ部３１の延在方向に配列されている。
【００２２】
ガイド部材２４とストッパ２８は、図５の（ｃ）に示されるように、ガイド部２６の基部２５からの延出部が中央のスリット３２内に挿入されるように基部２５と基部２９とを重ねられ、図４に示されるように固定具３５により締着固定されて、フェースプレート９の裏面の下部側の幅方向中央に取り付けられている。そして、図４に示されるように、基部２９と折り返し片３０とのなす角度βが、基部２５の表面とガイド溝２７とのなす角度αより大きくなっており、折り曲げ部３１の延在方向の外方から見て、ガイド溝２７と折り返し片３０とが交差している。
【００２３】
ここで、ガイド部材２４とストッパ２８は、フェースプレート９を収納箱１５に取り付けた際に、固定ピン１９がそれぞれスリット３２内に挿入されるようにフェースプレート９の裏面に取り付けられている。また、固定ピン１９とスリット３２は、フェースプレート９を収納箱１５の深さ方向の開口側に移動させた際に、固定ピン１９がスリット３２の底部に当たり、フェースプレート９のそれ以上の移動を阻止し、折り曲げ片３０を折り曲げ部３１を中心として基部２９側に弾性変形させた際に、固定ピン１９がスリット３２から抜け、固定ピン１９によるストッパ２８の係止を解除できるように構成されている。
【００２４】
面取り部３３が、フェースプレート９の周面である下端面の裏面側角部の幅方向中央部を面取りして形成されている。この面取り部３３は、幅方向に関し、ストッパ２８の中央のスリット３２を内包する大きさを有している。また、面取り部３３の裏面側端部が収納箱１５の下板１６ｃより上方に位置し、収納箱１５の開口に臨む微小な隙間を形成している。そして、ガイド溝２７が面取り部３３の傾斜面の延長線上に位置している。
【００２５】
このように構成されたがご操作盤８においては、フェースプレート９を取り付けるには、外れ止め２０の折り曲げ片２０ｃを折り返し片１７の下を通して収納箱１５内に入れて、フェースプレート９を収納箱１５の開口を塞ぐように袖壁６に押し付ける。
【００２６】
そこで、固定用ばね２１は、支持ピン１８により支持部２１ｂを押し広げられながら収納箱１５の底板１６ｄ側に移動し、支持ピン１８が案内溝２３内に挿入される。そして、支持ピン１８がくの字状の支持部２１ｂの屈曲部を乗り越えると、押し広げられていた支持部２１ｂが復元し、支持ピン１８がフェースプレート９側に引きつけられる。これにより、支持ピン１８が支持部２１ｂと案内溝２３の内壁面との間に弾性固定され、フェースプレート９の裏面が袖壁６に押し付けられ、収納箱１５の開口が隙間無く塞口される。
【００２７】
一方、ストッパ２８は、固定ピン１９により折り曲げ片３０を弾性変形されられながら収納箱１５の底板１６ｄ側に移動する。そして、固定ピン１９が、スリット３２の底部に到達すると、折り曲げ片３０が復元する。これにより、固定ピン１９がスリット３２内に挿入される。
【００２８】
このように収納箱１５に取り付けられたフェースプレート９は、支持ピン１８が支持部２１ｂと案内溝２３の内壁面との間に挟み込まれて弾性固定されているので、フェースプレート９の上下方向に移動が規制される。押さえ板２２が折り曲げ片２２ｂを一対の側板１６ｂのそれぞれに近接させてフェースプレート９の裏面に固定されているので、フェースプレート９の左右方向に移動が規制される。断面略くの字状に形成された支持部２１ｂの復元力が支持ピン１８をフェースプレート９側に引きつけるように作用するので、フェースプレート９が袖壁６に押し付けられ、フェースプレート９と袖壁６との間の隙間がなくなる。フェースプレート９を手前側に引っ張ると、上部側では、外れ止め２０の折り曲げ片２０ｃが折り返し片１７に当たり、下部側では、スリット３２の底部が固定ピン１９に当たり、悪戯によるフェースプレート９の取り外しが阻止される。
【００２９】
つぎに、フェースプレート９を収納箱１５から取り外す方法について図６を参照しつつ説明する。図６において、取り外し治具３６は、薄い鋼板に塑性変形の折り曲げ加工を施し、Ｊ字状の取っ手３７と、矩形平板状の差し込み部３８と、を備える。
【００３０】
まず、図６の（ａ）に示されるように、取っ手３７を把持し、差し込み部３８を面取り部３３の傾斜面に沿って収納箱１５の開口に臨む微小な隙間に差し込む。そして、図６の（ｂ）に示されるように、差し込み部３８を面取り部３３の傾斜面上を摺動させつつ矢印Ａの方向に押し込む。差し込み部３８はガイド溝２７内に入り込み、折り曲げ片３０を押し上げつつガイド溝２７の底部側に押し込まれる。これにより、折り曲げ片３０は、折り曲げ部３１を中心として矢印Ｂ方向に押し曲げられ、スリット３２の底部の高さ位置が固定ピン１９の頭部より高くなり、固定ピン１９によるストッパ２８の係留が解除される。
【００３１】
ついで、図６の（ｃ）に示されるように、取り外し治具３６をフェースプレート９とともに矢印Ｃ方向に引き、外れ止め２０の折り曲げ片２０ｃが折り返し片１７に当たるまでフェースプレート９を手前側に移動させる。これにより、固定用ばね２１と押さえ板２２とによる支持ピン１８の弾性固定が解除され、支持ピン１８が案内溝２３から抜け出る。そこで、外れ止め２０の折り曲げ片２０ｃが折り返し片１７より低くなるまで取り外し治具３６をフェースプレート９とともに下げ、その後取り外し治具３６をフェースプレート９とともに手前側に引いて、フェースプレート９を取り外す。
【００３２】
このように、かご操作盤８は、固定用ねじを用いることなく、悪戯によりフェースプレート９の取り外しを阻止することができる。そこで、固定用ねじをフェースプレート９の意匠面に設ける必要が無く、固定用ねじを隠すための開戸をフェースプレート９に設ける必要が無く、意匠性に優れたかご操作盤８を実現できる。
固定用ねじや開戸が無いので、フェースプレート９の取り付け／取り外し作業に、ねじの着脱作業や開戸の施錠／解錠作業が不要となり、フェースプレート９の取り付け／取り外し作業が簡易となる。
【００３３】
くの字状のストッパ２８が、折り曲げ部３１を下方に向けて基部２９をフェースプレート９の裏面下端側に締着固定して取り付けられ、収納箱１５の下板１６ｃの内壁面から上下方向に立設された固定ピン１９が折り曲げ片３０に形成されたスリット３２内に挿入されている。そして、フェースプレート９の収納箱１５の深さ方向の手前側への移動が、固定ピン１９がスリット３２の底部に当接して規制される。また、折り曲げ片３０を折り曲げ部３１を中心として基部２９側に曲げると、固定ピン１９がスリット３２から抜け出し、フェースプレート９の収納箱１５の深さ方向の手前側への移動が可能となる。
【００３４】
ガイド部材２４が、平板状のガイド部２６を折り曲げ部３１の延在方向と直交させ、かつ折り曲げ片３０と交差させて、基部２５をフェースプレート９の裏面に締着固定して取り付けられる。ガイド溝２７が、折り曲げ部３１の下方でフェースプレート９側に開口し、折り曲げ部３１の延在方向から見て、その開口から基部２９と折り曲げ片３０との間の領域に至る直線状の溝形状にガイド部２６に形成されている。さらに、面取り部３３がフェースプレート９の下端の裏面側角部を面取りして形成され、ガイド溝２７の開口に臨む隙間が構成される。
【００３５】
そこで、取っ手３７の差し込み部３８を面取り部３３により形成された隙間からガイド溝２７内に押し込むだけで、固定ピン１９による係止を解除でき、フェースプレート９の取り外し作業が簡易となる。
さらに、ガイド溝２７が面取り部３３の傾斜面の延長線上に位置しているので、差し込み部３８を面取り部３３の傾斜面上を摺動させつつ差し込むだけで、差し込み部３８をガイド溝２７内に確実に押し込むことができ、フェースプレート９の取り外し作業がより簡易となる。
【００３６】
なお、上記実施の形態では、外れ止め、固定用ばね、押さえ板、ガイド部材、ストッパを固定具によりフェースプレートの裏面に締着固定するものとしているが、これらの部材のフェースプレートへの固定手段はこれに限定されず、例えば溶接でもよい。
また、上記実施の形態では、フェースプレートを下方に下げて折り返し片と外れ止めの折り曲げ片との係合を解除するものとしているが、折り返し片と折り曲げ片との係合を解除させるためのフェースプレートの移動方向は下方に限定されず、折り曲げ片が当接する折り返し片の係止面と平行な方向であればよい。
【００３７】
また、上記実施の形態では、収納箱の上板の縁部から下方に延在させた折り返し片を係止部材としているが、係止部材はこれに限定されず、例えば収納箱の底板から開口側に延出させ、その後折り曲げて下方に延在させて係止部材としてもよい。
また、上記実施の形態では、収納箱の上板の縁部から下方に延在させて折り返し片を形成するものとしているが、折り返し片の形成位置はこれに限定されず、収納箱の一方の側板の縁部から他方の側板側に延在させて折り返し片を形成してもよい。
【００３８】
また、上記実施の形態では、支持ピンを収納箱の側板の内壁面に収納箱の深さ方向と直交するように立設するものとしているが、支持ピンは上板および下板の内壁面に収納箱の深さ方向と直交するように立設してもよい。
また、上記実施の形態では、固定ピンを収納箱の下板の内壁面に収納箱の深さ方向と直交するように立設するものとしているが、固定ピンは側板の内壁面に収納箱の深さ方向と直交するように立設してもよい。
【符号の説明】
【００３９】
９  フェースプレート、１５  収納箱、１７  折り返し片（係止部材）、１８  支持ピン、１９  固定ピン、２０  外れ止め、２０ｃ  折り曲げ片（被係止部）、２１  固定用ばね（ばね式固定部材）、２２  押さえ板（ばね式固定部材）、２６  ガイド部、２７  ガイド溝、２８  ストッパ、２９  基部、３０  折り返し片、３１  折り返し部、３２  スリット、３３  面取り部、３６  取り外し治具、３８  差し込み部。
【図１】
0005936418.tif 000002
【図２】
0005936418.tif 000003
【図３】
0005936418.tif 000004
【図４】
0005936418.tif 000005
【図５】
0005936418.tif 000006
【図６】
0005936418.tif 000007